(57)【要約】【課題】厚みを最小限に設定できるとともに、部品点数及び組立工程数を削減して、製造コスト削減できる写真立てを提供する。【解決手段】底部２とこの底部の周縁に沿って形成された枠部３とが一体形成されるとともに弾性湾曲可能な本体１ａと、上記枠部内に嵌め込まれるとともに上記底部内面との間に収容物を挟持できる透明樹脂シート４と、上記底部の背面に回動可能に設けられた脚部５とを備える写真立てであって、上記枠部の少なくとも対向する２辺と、これら辺の内側に沿って収容される上記透明樹脂シートの縁部とに、互いに係合する係合手段４ａ，７，８を設けるとともに、上記本体を湾曲させることにより、上記係合手段の係合を解除して、上記透明樹脂シート及び収容物を着脱できるように構成した。【選択図】図１
0003161781.tif 000002
【実用新案登録請求の範囲】
【請求項１】
底部とこの底部の周縁に沿って形成された枠部とが一体形成されるとともに弾性湾曲可能な本体と、上記枠部内に嵌め込まれるとともに上記底部内面との間に収容物を挟持できる透明樹脂シートと、上記底部の背面に回動可能に設けられた脚部とを備える写真立てであって、
上記枠部の少なくとも対向する２辺と、これら２辺の内側に沿って収容される上記透明樹脂シートの縁部とに、互いに係合する係合手段を設けるとともに、
上記本体を湾曲させることにより、上記係合手段の係合を解除して、上記透明樹脂シート及び収容物を着脱できるように構成した、写真立て。
【請求項２】
上記係合手段は、上記枠部の一辺に上記透明樹脂シートの縁部に係合する係合凹部を設けるとともに、
少なくとも上記枠部の一辺に対向する他辺に、上記透明樹脂シートの縁部外側に係合する掛止突起を設けて構成される、請求項１に記載の写真立て。
【請求項３】
上記透明樹脂シートの縁部に１又は２以上の係合突起を設ける一方、
上記枠部の一辺に、上記係合突起を収容できる１又は２以上の係合凹部を設けた、請求項２に記載の写真立て。
【請求項４】
上記底部の外面から立ち上がる立壁部と、この立壁部の先端部から上記底部外面に所定の隙間を開けて延出する保持壁部とを備える脚部係止手段を設け、
上記脚部の基端部に設けた回動軸を、上記保持壁部と上記底部外面との間に回動可能に保持することにより、上記脚部を上記本体に対して回動可能に保持する一方、
上記脚部の基端面に設けたテーパ面を上記底部外面に当接させることにより、上記脚部を所定の回動角度に保持できるように構成した、請求項１から請求項３のいずれか１項に記載の写真立て。
【請求項５】
上記透明樹脂シートの周縁部の背面側に、上記透明樹脂シートと上記本体底部内面との間の収容空間を形成するスペーサ部を設けた、請求項１から請求項４のいずれか１項に記載の写真立て。
【請求項６】
上記係合突起の背面側に、上記透明樹脂シートと上記本体底部内面との間の収容空間を形成するスペーサ部を設けた、請求項３に記載の写真立て。
【請求項７】
上記係合凹部を、上記本体底部内面から所定距離離間して設けることにより、上記透明樹脂シートと上記本体底部内面との間の収容空間を形成するように構成した、請求項２から請求項４のいずれか１項に記載の写真立て。
【請求項８】
上記本体底部にスリットを設けることにより、一部が上記本体底部に連続する相対変位領域を設け、この相対変位領域を、上記透明樹脂シート側に弾性変形させることにより、上記透明樹脂シート及び収容物を湾曲させて着脱できるように構成した、請求項１から請求項７のいずれか１項に記載の写真立て。
【考案の詳細な説明】
【技術分野】
【０００１】
本願考案は、写真立てに関する。詳しくは、厚みを最小限に設定できるとともに、収容物を容易に着脱できる写真立てに関する。
【背景技術】
【０００２】
従来の写真立ては、額縁状の枠体と、この枠体の表面側に配置されるガラス等の透明板と、上記透明板との間に写真等の収容物を挟持する押さえ板とを備えて構成されるものが多い。写真等を収容するには、上記枠体の背面側から上記透明板を嵌め込むとともに、上記透明板に写真を添着し、さらに背面側から押さえ板を嵌め込んで、上記枠体の縁部に設けた止め片等によって上記押さえ板を脱落不可能に保持する必要がある。
【０００３】
上記押さえ板には、脚部が回動可能に設けられており、上記脚部を所定の角度位置に回動させて、上記枠体を立設状態で保持できるように構成されている。
【０００４】
【特許文献１】実公平４９２５９号
【考案の開示】
【考案が解決しようとする課題】
【０００５】
上記従来の写真立ては、枠体に対して、別体の透明板と押さえ板を嵌め込んで保持する必要がある。このため、枠体の強度を確保する必要がある。また、上記押さえ板は、上記透明板との間で上記写真等を挟持する必要があり、しかも、背面側に脚部を設ける必要がある。このため、上記押さえ板にもある程度の強度が必要である。したがって、これら部材の強度を確保するため、これら部材の厚みが大きくなり、写真立てを薄型化し、軽量化するのは困難であった。
【０００６】
また、写真を取り替える場合、上記止め片を回動させて、透明板及び押さえ板を枠体から取り外して写真を交換するとともに、上記透明板と押さえ板の所要の位置に新たな写真を挟持した状態で上記枠体に装着する必要がある。このため、写真の着脱が面倒である。
【０００７】
さらに、製品を出荷するには、上記枠体、透明板、押さえ板、止め片及び脚部を組み付ける必要がある。このため、組立工程が多くなり、製造コストが増加するといった問題もあった。
【０００８】
本願考案は、上記従来の問題を解決し、写真等を容易に着脱できるばかりでなく、厚みを最小限に設定でき、しかも、部品点数及び組立工程数を削減して製造コストを削減できる写真立てを提供することを課題とする。
【課題を解決するための手段】
【０００９】
本願の請求項１に記載した考案は、底部とこの底部の周縁に沿って形成された枠部とが一体形成されるとともに弾性湾曲可能な本体と、上記枠部内に嵌め込まれるとともに上記底部内面との間に収容物を挟持できる透明樹脂シートと、上記底部の背面に回動可能に設けられた脚部とを備える写真立てであって、上記枠部の少なくとも対向する２辺と、これら辺の内側に沿って収容される上記透明樹脂シートの縁部とに、互いに係合する係合手段を設けるとともに、上記本体を湾曲させることにより、上記係合手段の係合を解除して、上記透明樹脂シート及び収容物を着脱できるように構成したものである。
【００１０】
上記枠部と上記底部とを一体的に形成することにより、これら部位から構成される本体の強度を大幅に向上させることができる。このため、これら部位の厚みを小さくしても充分な強度を確保することが可能となり、写真立ての全体の厚みを非常に薄く設定することが可能となる。しかも、本体の厚みを薄く設定できるため、本体を弾性的に湾曲させることも可能となる。
【００１１】
さらに、本願考案では、上記本体の湾曲を利用して上記透明シートを着脱できるように構成している。たとえば、上記本体の対向する縁部に、上記枠部が凸側に湾曲するようにモーメントを作用させると、湾曲させられない側の対向する枠部の間隔が広がり、これら枠部と上記透明樹脂シートの縁部との係合が解除される。また、底部の所定領域を上記透明樹脂シート側に湾曲させて、上記透明樹脂シートを背面側から押圧して湾曲させることにより、上記係合を解除することもできる。
【００１２】
上記構成を採用することにより、押さえ板や止め片が不要になって、部品点数及び組立工数を削減できる。また、写真等を表面側から着脱できるため、これら着脱作業を極めて容易に行うことが可能となる。また、表側から写真を装着できるため、写真の配置等を考慮しながら、装着作業を行うことも可能となる。
【００１３】
上記写真を着脱できる程度に湾曲させることができれば、上記本体を構成する材料は特に限定されることはない。たとえば、樹脂材料や金属材料を採用することができる。また、上記透明樹脂シートの材料も特に限定されることはないが、少なくとも、上記本体の湾曲度合いに対応して弾性変形できるものを採用するのが好ましい。
【００１４】
上記係合手段の構成も特に限定されることはない。たとえば、請求項２に記載した考案のように、上記係合手段を、上記枠部の一辺に上記透明樹脂シートの縁部に係合する係合凹部を設けるとともに、少なくとも上記枠部の一辺に対向する他辺に、上記透明樹脂シートの縁部外側に係合する掛止突起を設けて構成することができる。
【００１５】
上記構成では、本体を湾曲させた場合に、上記透明樹脂シートと上記掛止突起の係合位置を、上記透明樹脂シートと上記係合凹部の係合位置より、湾曲半径の外方に設定てきる。このため、上記透明樹脂シートの縁部外側と上記掛止突起との係合を優先的に解除することが可能となり、上記透明樹脂シートの着脱を容易に行うことができる。
【００１６】
上記係合凹部は、上記枠部の一片に沿う透明樹脂シートの縁部全長を上記枠部内に収容できる溝状に構成することができる。また、請求項３に記載した考案のように、上記透明樹脂シートの縁部に１又は２以上の係合突起を設ける一方、上記枠部の一辺に、上記係合突起を収容できる１又は２以上の係合凹部を設けることができる。この構成を採用することにより、上記透明シートの一部を上記枠部の一辺に差し入れるようにして係合させることができるため、透明シートの着脱を容易に行うことが可能となる。
【００１７】
上記脚部の形態及び材料は特に限定されることはないが、少なくとも、上記本体に沿う折り畳み姿勢と、上記本体から離間するように回動させて写真立てを立設する立設姿勢をとることができるように構成するのが望ましい。
【００１８】
たとえば、請求項４に記載した考案のように、上記底部の外面から立ち上がる立壁部と、この立壁部の先端部から上記底部外面に所定の隙間を開けて延出する保持壁部とを備える脚部係止手段を設け、上記脚部の基端部に設けた回動軸を、上記保持壁部と上記底部外面との間に回動可能に保持することにより、上記脚部を上記本体に対して回動可能に保持する一方、上記脚部の基端面に設けたテーパ面をと、上記底部外面に当接させることにより、上記脚部を所定の回動角度に保持できるように構成するのが好ましい。
【００１９】
上記脚部係止手段を、上記本体と一体成形することにより、部品点数及び製造コストを削減することが可能になるとともに、写真立ての厚みをさらに低減させることが可能になる。また、上記脚部の基端面に、底部外面に当接して脚部を所定角度で保持できるテーパ面を設けることにより、部品点数を増加することなく脚部を立設姿勢で保持することが可能となる。
【００２０】
本願考案では、写真等の収容物は、上記本体底部と、上記透明シートとの間に挟持される。このため、厚みが大きい写真等を収容する場合、上記透明シートが表面側に膨出するように変形させられて、見栄え等が低下する恐れがある。
【００２１】
上記不都合を回避するために、請求項５に記載した考案のように、上記透明樹脂シートの周縁部の背面側に、上記透明樹脂シートと上記本体底部内面との間の収容空間を形成するスペーサ部を設けることができる。
【００２２】
上記スペーサ部を設けることににより、写真等の厚みが大きい場合にも、透明樹脂シートの表面を平坦状に保持することが可能となり、見栄え等が低下する恐れがない。上記スペーサ部の厚みは、収納物の厚さに応じて設定することができる。また、上記スぺーサ部を設ける手法も特に限定されることはない。たとえば、所定厚みを有する細幅の帯状部材を透明樹脂シートの周縁に貼り付けることにより、上記スペーサ部を設けることができる。
【００２３】
請求項６に記載した考案のように、上記係合突起を設ける場合には、上記係合突起の背面側に、上記透明樹脂シートと上記本体底部内面との間の空間を形成する上記スペーサ部を設けるのが好ましい。
【００２４】
上記係合突起は、枠部に形成した係合凹部に収容される。このため、上記係合突起の背面側に上記スペーサ部を設けることにより、写真等の収納スペースを減少させることなく、上記透明シートと上記底部との間の収納スペースを確保することが可能となる。また、上記透明樹脂シートの上記係合突起を設けた縁部と反対側の縁部と上記掛止突起とが係合する位置についても、上記透明樹脂シート内面と上記底部内面との間に上記空間が形成されるように、上記掛止突起を設けるのが好ましい。
【００２５】
一方、請求項７に記載した考案のように、上記係合凹部を、上記本体底部内面から所定距離離間して設けることにより、上記空間を設けることがもきる。この場合においても、収納スペースを狭めることながない。
【００２６】
請求項８に記載した考案は、上記本体底部にスリットを設けることにより、一部が上記本体底部に連続する相対変位領域を設け、この相対変位領域を、上記透明樹脂シート側に弾性変形させることにより、上記透明樹脂シート及び収容物を湾曲させて取り外すように構成したものである。
【００２７】
上述したように、上記本体の全体を湾曲させることにより、上記透明樹脂シートと上記枠部との係合を解除することができるが、寸法の小さい写真立てにおいては、上記本体を充分に湾曲させることができない場合もある。このような場合、底部の一部を上記透明樹脂シートを押圧するように変形させることにより上記透明樹脂シートを湾曲させて、枠部との係合を解除することができる。上記スリットの形態は、特に限定されることはない。たとえば、Ｖ字状、Ｕ字状、Ｌ字状のスリットを設けることにより、これらスリットの内側部を、厚み方向に変位させることができる。
【００２８】
上記スリットで囲まれる上記相対変位領域は、底部から独立して弾性変形させることができる。このため、上記相対変位領域を、上記透明樹脂シートを背部から押圧するようにして湾曲変形させることにより、枠部との係合を解除することが可能となる。また、上記相対変位領域の厚みを、他の底部より小さく設定することができる。このため、底部全体を湾曲させることができない場合であっても、上記相対変位領域の弾性変形量を確保することができる。この構成を採用することにより、このため、本体の強度を低下させることなく、上記透明樹脂シートの着脱を行うことが可能となる。
【考案の効果】
【００２９】
厚みを最小限に設定できるとともに、部品点数及び組立工程数を削減して、製造コスト削減できる写真立てを提供できる。
【考案を実施するための最良の形態】
【００３０】
以下、本願考案の実施形態を図に基づいて具体的に説明する。
【００３１】
図１及び図８（ａ）、（ｂ）に示すように、本実施形態に係る写真立て１は、樹脂で一体成形された本体１ａと、上記本体１ａの表面側に重ね合わされる透明樹脂シート４と、上記本体１ａの背面側に設けられる脚部５とを備えて構成される。
【００３２】
上記本体１ａは、樹脂で一体成形された矩形板状に形成されており、底部２と、この底部２の周縁に沿って形成された枠部３とを備えて構成される。上記枠部３は、内側部に上記透明シート４を嵌め込むことができるように構成されている。
【００３３】
上記透明シート４は、アクリル樹脂やポリエチレン樹脂等の透明樹脂で形成されており、一側縁の３箇所に、所定幅で延出する係合突起４ａが設けられている。また、図８（ａ）に示すように、上記係合突起４ａは、背面側の厚みを大きく設定することによりスペーサ部４ｂが形成されており、上記底部２の内面に重ね合わせた場合、底部内面との間に写真等の収容物１０を収容する空間が形成されるように構成されている。
【００３４】
一方、上記透明樹脂シートの上記一側縁が対接させられる枠部の一辺３ａの３箇所には、上記透明樹脂シート４の上記係合凸部４ａを収容できる係合凹部７が形成されている。図８（ａ）ａに示すように、上記係合凸部４ａを上記係合凹部７に挿入することにより、上記透明樹脂シートの一側縁と上記枠部の一辺とが係合させられる。
【００３５】
一方、図８ｂに示すように、上記枠部３の他辺３ｂには、上記枠部内に収容された透明樹脂シート４の表面側に延出して、上記透明樹脂シート４を保持する掛止突起８が２箇所に設けられている。上記透明樹脂シート４は、その他側縁の上面が、上記掛止突起８に掛止されることにより、上記枠部３の内側に保持される。なお、本実施形態では、図１に示すように、上記枠部３の上下辺の中央部にも上記掛止突起８を設けて、上記透明樹脂シート４を枠部内で確実に保持できるように構成している。
【００３６】
図４及び図５に示すように、上記本体１ａの背面には、上記脚部５を回動可能に保持するための、脚部係止手段６が、上記底部２と一体的に形成されている。本実施形態に係る上記脚部係止手段６は、上記底部２の外面から立ち上がる立壁部６ａと、この立壁部６ａの先端部から上記底部外面に所定の隙間を開けて延出する保持壁部６ｂとを備えて構成されている。上記保持壁部６ｂの先端側内面には、掛止凸条６ｃが形成されている。
【００３７】
本実施形態に係る上記脚部５は、樹脂で一体成形されるとともに、内側に開口が設けられた板状に形成されている。そして、上記本体背面の中央部において基端部が回動可能に保持されるとともに、上記本体背面に添着した折り畳み姿勢において、先端部が本体背面の角部に沿う形態に形成されている。このため、上記折り畳み姿勢において、脚部が本体から突出することはなく、持ち運び等の際に邪魔になることはない。
【００３８】
上記脚部５の基端部は、中央部が矩形状に切り欠かれて基端両側部５ｃ，５ｃが形成されているとともに、この基端両側部５ｃ，５ｃに掛け渡し状に回動軸５ａが一体形成されている。
【００３９】
上記回動軸５ａを、上記保持壁部６ｂと上記底部外面との間に挟み込むように装着することにより、上記脚部５が本体１ａの底部２に回動可能に保持される。上記保持壁部６ｂの先端側内面に掛止凸条６ｃが形成されているため、上記回動軸５ａが、上記脚部係止手段６から脱落することもない。また、図５〜図７に示すように、上記脚部５は、上記底部２の背面に添着した折り畳み姿勢と、上記底部２から離間させた立設姿勢の間で回動可能に保持されている。
【００４０】
上記脚部の基端両側部５ｃ，５ｃの基端面５ｂ，５ｂは、約４５度のテーパ状に形成されている。これにより、図７に示すように、上記立設姿勢においは、上記基端面５ｂ，５ｂが、上記底部背面に当接させられて、脚部５が約４５度の角度で保持される。これにより、上記写真立て１を立設状態で保持することができる。
【００４１】
上記構成の脚部掛止手段６及び脚部５を設けることにより、最小限の厚みで上記脚部５を回動可能かつ立設位置に保持するように構成できる。したがって、上記脚部を設けることによって、写真立ての厚みが大きく増加することもない。
【００４２】
上記構成の本体１ａは、容易に弾性湾曲させることができるように構成されている。図１における上記係合凹部７と掛止突起８を設けた辺にモーメントを作用させて上記本体１ａを湾曲させると、図９に示すように、枠部の対向する辺３ａ，３ｂの距離が拡がる。これにより、掛止突起８と上記透明樹脂シート４の縁部が離間して、これらの係合が解除される。これにより、上記透明樹脂シート４を上記本体１ａの枠部３から取り外し、収容物１０を装着し、あるいは交換することができる。
【００４３】
本実施形態に係る写真立てにおいては、枠部３と底部２とを一体的に設けた本体と、この枠部３に嵌め込み保持される透明樹脂シート４と、上記底部２の背面に設けられる脚部５とを備えて構成される。このため、従来の写真立てに比べて押さえ板及びこれを保持する止め片が不要になり、部品点数及び組立工数を削減できる。
【００４４】
また、上記枠部３と上記底部２とを一体的に形成することにより、これら部位から構成される本体１ａの強度を大幅に向上させることができる。このため、これら部位の厚みを小さくしても充分な強度確保することが可能となり、写真立て１の全体の厚みを非常に薄く設定することが可能となる。また、本体の厚みを小さく設定できることから、上記本体１ａを弾性的に湾曲させることができるように構成できる。
【００４５】
しかも、上記本体１ａの上記湾曲を利用して上記透明樹脂シート４を上記本体１ａに対して着脱できるように構成している。これにより、透明樹脂シート４を上記枠部３に容易に着脱することができる。
【００４６】
また、この構成を採用することにより、表側から写真を装着できるため、写真の配置等を考慮しながら、装着作業を行うことも可能となる。
【００４７】
図１０及び図１１に本願考案の第２の実施形態を示す。
【００４８】
第２の実施形態では、図１０に示すように、底部２に略コ字状のスリット２１１が設けられている。上記スリット２１１を設けることにより、一側２１２において上記底部２に連続するとともに、スリット２１１で囲まれる矩形部分が上記底部２から独立して弾性変位可能な相対変位領域２１３が形成される。
【００４９】
図１１に示すように、上記弾性変位領域２１３を背面側から表面側に向かって押圧すると、収容物１０及び透明樹脂シート４が、上記底部２の内面から離間するように変形させられる。これにより、上記透明樹脂シート４及び収容物を着脱することができる。
【００５０】
上記構成を採用することにより、上記本体自体が弾性変形しにくい場合においても、上記透明樹脂シートを容易に着脱することが可能となる。上記スリットの形態は特に限定されるてことはなく、たとえば、Ｖ字状、Ｕ字状、Ｌ字状等の形態を採用することができる。
【００５１】
本願考案は、上述の実施形態に限定されることはない。実施形態では、押し子が挿入される開口部を挟んで２箇所に凸部を設けたが、１箇所あるいは３箇所以上に凸部を設けることができる。また、実施形態では、矩形状の凸部を設けたが、凸部の形態は特に限定されることはない。
【図面の簡単な説明】
【００５２】
【図１】本願考案に係る写真立ての正面図である。
【図２】図１に示す写真立ての底面図である。
【図３】図１に示す写真立ての左側面図である。
【図４】図１に示す写真立ての背面図である。
【図５】脚部を本体背面に装着する状態を示す斜視図である。
【図６】図４におけるＶＩ−ＶＩ線に沿う要部断面図であり、脚部の折り畳み状態を示す断面図である。
【図７】図４におけるＶＩ−ＶＩ線に沿う要部断面図であり、脚部の立設状態を示す断面図である。
【図８】（ａ）図１におけるＸ−Ｘ線に沿う断面図である。      （ｂ）図１におけるＹ−Ｙ線に沿う断面図である。
【図９】写真立てを湾曲させて、透明樹脂シートを着脱する状態を示す断面図である。
【図１０】第２の実施形態に係る写真立ての背面図である。
【図１１】図１０に示す写真立てを湾曲させた場合のＸＩ−ＸＩ線に沿う断面図である。
【符号の説明】
【００５３】
１  写真立て
１ａ  本体
２  底部
３  枠部
４  透明樹脂シート
４ａ  係合手段
５  脚部
７  係合手段
８  係合手段
１０  収容物
【図１】
0003161781.tif 000003
【図２】
0003161781.tif 000004
【図３】
0003161781.tif 000005
【図４】
0003161781.tif 000006
【図５】
0003161781.tif 000007
【図６】
0003161781.tif 000008
【図７】
0003161781.tif 000009
【図８】
0003161781.tif 000010
【図９】
0003161781.tif 000011
【図１０】
0003161781.tif 000012
【図１１】
0003161781.tif 000013
【手続補正書】
【提出日】平成22年6月4日(2010.6.4)
【手続補正１】
【補正対象書類名】実用新案登録請求の範囲
【補正対象項目名】全文
【補正方法】変更
【補正の内容】
【実用新案登録請求の範囲】
【請求項１】
底部とこの底部の周縁に沿って形成された枠部とが一体形成されるとともに弾性湾曲可能な本体と、上記枠部内に嵌め込まれるとともに上記底部の内面との間に収容物を挟持できる透明樹脂シートと、上記底部の背面に回動可能に設けられた脚部とを備える写真立てであって、
上記枠部の少なくとも対向する２辺と、これら２辺の内側に沿って収容される上記透明樹脂シートの縁部とに、互いに係合する係合手段を設けるとともに、
上記本体を湾曲させることにより、上記係合手段の係合を解除して、上記透明樹脂シート及び収容物を着脱できるように構成した、写真立て。
【請求項２】
上記係合手段は、上記枠部の一辺に上記透明樹脂シートの縁部に係合する係合凹部を設けるとともに、
少なくとも上記枠部の一辺に対向する他辺に、上記透明樹脂シートの縁部外側に係合する掛止突起を設けて構成される、請求項１に記載の写真立て。
【請求項３】
上記透明樹脂シートの縁部に１又は２以上の係合突起を設ける一方、
上記枠部の一辺に、上記係合突起を収容できる１又は２以上の係合凹部を設けた、請求項２に記載の写真立て。
【請求項４】
上記底部の外面から立ち上がる立壁部と、この立壁部の先端部から上記底部の外面に所定の隙間を開けて延出する保持壁部とを備える脚部係止手段を設け、
上記脚部の基端部に設けた回動軸を、上記保持壁部と上記底部の外面との間に回動可能に保持することにより、上記脚部を上記本体に対して回動可能に保持する一方、
上記脚部の基端面に設けたテーパ面を上記底部の外面に当接させることにより、上記脚部を所定の回動角度に保持できるように構成した、請求項１から請求項３のいずれか１項に記載の写真立て。
【請求項５】
上記透明樹脂シートの周縁部の背面側に、上記透明樹脂シートと上記底部の内面との間の収容空間を形成するスペーサ部を設けた、請求項１から請求項４のいずれか１項に記載の写真立て。
【請求項６】
上記係合突起の背面側に、上記透明樹脂シートと上記底部の内面との間の収容空間を形成するスペーサ部を設けた、請求項３に記載の写真立て。
【請求項７】
上記係合凹部を、上記底部の内面から所定距離離間して設けることにより、上記透明樹脂シートと上記底部の内面との間の収容空間を形成するように構成した、請求項２又は請求項３のいずれか１項に記載の写真立て。
【請求項８】
上記底部にスリットを設けることにより、一部が上記底部に連続する相対変位領域を設け、この相対変位領域を、上記透明樹脂シート側に弾性変形させることにより、上記透明樹脂シート及び収容物を湾曲させて着脱できるように構成した、請求項１から請求項７のいずれか１項に記載の写真立て。
【手続補正２】
【補正対象書類名】明細書
【補正対象項目名】０００９
【補正方法】変更
【補正の内容】
【０００９】
本願の請求項１に記載した考案は、底部とこの底部の周縁に沿って形成された枠部とが一体形成されるとともに弾性湾曲可能な本体と、上記枠部内に嵌め込まれるとともに上記底部の内面との間に収容物を挟持できる透明樹脂シートと、上記底部の背面に回動可能に設けられた脚部とを備える写真立てであって、上記枠部の少なくとも対向する２辺と、これら辺の内側に沿って収容される上記透明樹脂シートの縁部とに、互いに係合する係合手段を設けるとともに、上記本体を湾曲させることにより、上記係合手段の係合を解除して、上記透明樹脂シート及び収容物を着脱できるように構成したものである。
【手続補正３】
【補正対象書類名】明細書
【補正対象項目名】００１８
【補正方法】変更
【補正の内容】
【００１８】
たとえば、請求項４に記載した考案のように、上記底部の外面から立ち上がる立壁部と、この立壁部の先端部から上記底部の外面に所定の隙間を開けて延出する保持壁部とを備える脚部係止手段を設け、上記脚部の基端部に設けた回動軸を、上記保持壁部と上記底部の外面との間に回動可能に保持することにより、上記脚部を上記本体に対して回動可能に保持する一方、上記脚部の基端面に設けたテーパ面を、上記底部の外面に当接させることにより、上記脚部を所定の回動角度に保持できるように構成するのが好ましい。
【手続補正４】
【補正対象書類名】明細書
【補正対象項目名】００２０
【補正方法】変更
【補正の内容】
【００２０】
本願考案では、写真等の収容物は、上記本体の底部と、上記透明シートとの間に挟持される。このため、厚みが大きい写真等を収容する場合、上記透明シートが表面側に膨出するように変形させられて、見栄え等が低下する恐れがある。
【手続補正５】
【補正対象書類名】明細書
【補正対象項目名】００２１
【補正方法】変更
【補正の内容】
【００２１】
上記不都合を回避するために、請求項５に記載した考案のように、上記透明樹脂シートの周縁部の背面側に、上記透明樹脂シートと上記底部の内面との間の収容空間を形成するスペーサ部を設けることができる。
【手続補正６】
【補正対象書類名】明細書
【補正対象項目名】００２３
【補正方法】変更
【補正の内容】
【００２３】
請求項６に記載した考案のように、上記係合突起を設ける場合には、上記係合突起の背面側に、上記透明樹脂シートと上記底部の内面との間の空間を形成する上記スペーサ部を設けるのが好ましい。
【手続補正７】
【補正対象書類名】明細書
【補正対象項目名】００２４
【補正方法】変更
【補正の内容】
【００２４】
上記係合突起は、枠部に形成した係合凹部に収容される。このため、上記係合突起の背面側に上記スペーサ部を設けることにより、写真等の収納スペースを減少させることなく、上記透明シートと上記底部との間の収納スペースを確保することが可能となる。また、上記透明樹脂シートの上記係合突起を設けた縁部と反対側の縁部と上記掛止突起とが係合する位置についても、上記透明樹脂シート内面と上記底部の内面との間に上記空間が形成されるように、上記掛止突起を設けるのが好ましい。
【手続補正８】
【補正対象書類名】明細書
【補正対象項目名】００２５
【補正方法】変更
【補正の内容】
【００２５】
一方、請求項７に記載した考案のように、上記係合凹部を、上記底部の内面から所定距離離間して設けることにより、上記空間を設けることがもきる。この場合においても、収納スペースを狭めることながない。
【手続補正９】
【補正対象書類名】明細書
【補正対象項目名】００２６
【補正方法】変更
【補正の内容】
【００２６】
請求項８に記載した考案は、上記底部にスリットを設けることにより、一部が上記底部に連続する相対変位領域を設け、この相対変位領域を、上記透明樹脂シート側に弾性変形させることにより、上記透明樹脂シート及び収容物を湾曲させて取り外すように構成したものである。
【手続補正１０】
【補正対象書類名】明細書
【補正対象項目名】００３３
【補正方法】変更
【補正の内容】
【００３３】
上記透明シート４は、アクリル樹脂やポリエチレン樹脂等の透明樹脂で形成されており、一側縁の３箇所に、所定幅で延出する係合突起４ａが設けられている。また、図８（ａ）に示すように、上記係合突起４ａは、背面側の厚みを大きく設定することによりスペーサ部４ｂが形成されており、上記底部２の内面に重ね合わせた場合、底部の内面との間に写真等の収容物１０を収容する空間が形成されるように構成されている。
【手続補正１１】
【補正対象書類名】明細書
【補正対象項目名】００３９
【補正方法】変更
【補正の内容】
【００３９】
上記回動軸５ａを、上記保持壁部６ｂと上記底部の外面との間に挟み込むように装着することにより、上記脚部５が本体１ａの底部２に回動可能に保持される。上記保持壁部６ｂの先端側内面に掛止凸条６ｃが形成されているため、上記回動軸５ａが、上記脚部係止手段６から脱落することもない。また、図５〜図７に示すように、上記脚部５は、上記底部２の背面に添着した折り畳み姿勢と、上記底部２から離間させた立設姿勢の間で回動可能に保持されている。